(57)【要約】      （修正有）【課題】シートによって空間を仕切ることができ、軽量で、かつ、利用者のプライバシーを確保することができるパーティションを提供する。【解決手段】パーティション１は、略矩形をなし、略垂直に起立した状態で水平方向に並ぶ複数の略矩形の領域を有するシート状の間仕切り部材２、３と、各領域に２本ずつ取付けられる複数の第一の棒状部材３６、３７とを備え、各領域には、２本の第一の棒状部材を領域に取付けるための取付け手段が設けられ、間仕切り部材が略垂直に起立した状態で、一方の第一の棒状部材の上部が、領域の左辺上部に沿い、下部が、領域の下辺右部に沿い、他方の第一の棒状部材の上部が、領域の右辺上部に沿い、下部が、領域の下辺左部に沿うように、２本の第一の棒状部材が交差した状態で、取付け手段によって各領域に取付け可能に構成されている。【選択図】図５
0003229478.tif 000002
【実用新案登録請求の範囲】
【請求項１】
略矩形をなすシート状の間仕切り部材であって、略垂直に起立した状態で水平方向に並ぶ複数の略矩形の領域を有する前記間仕切り部材と、
各前記領域に２本ずつ取付けられる複数の第一の棒状部材とを備え、
複数の前記領域にはそれぞれ、２本の前記第一の棒状部材を前記領域に取付けるための取付け手段が設けられ、
前記間仕切り部材が略垂直に起立した状態で、２本の前記第一の棒状部材のうちの一方の前記第一の棒状部材の上部が、前記領域の左辺上部に沿い、一方の前記第一の棒状部材の下部が、前記領域の下辺右部に沿い、
他方の前記第一の棒状部材の上部が、前記領域の右辺上部に沿い、他方の前記第一の棒状部材の下部が、前記領域の下辺左部に沿うように、２本の前記第一の棒状部材が交差した状態で、前記取付け手段によって各前記領域に取付け可能に構成されたことを特徴とするパーティション。
【請求項２】
複数の前記第一の棒状部材がそれぞれ、前記領域に取付けられていないときに略直線状をなし、かつ、前記領域に取付けられたときに、その上部が前記領域の左辺上部または右辺上部に沿い、その下部が、前記領域の下辺右部または下辺左部に沿うようにしなることを特徴とする請求項１に記載のパーティション。
【請求項３】
各前記領域の上縁にそれぞれ、上縁に沿うように、第二の棒状部材が設けられたことを特徴とする請求項１または２に記載のパーティション。
【請求項４】
前記間仕切り部材は複数枚であり、
さらに、各前記領域に２本ずつ前記第一の棒状部材が取り付けられて、略垂直に起立した複数の前記間仕切り部材を、平面視において略矩形に連結する第一の連結手段と、
複数の第三の棒状部材と、
複数の前記第三の棒状部材を略矩形に連結する第二の連結手段を備え、
前記第一の連結手段によって平面視略矩形に連結された複数の前記間仕切り部材の上縁に、前記第二の連結手段によって略矩形に連結された複数の前記第三の棒状部材を取付け可能に構成されたことを特徴とする請求項１ないし３のいずれかに記載のパーティション。
【請求項５】
前記第一の連結手段によって平面視略矩形に連結された複数の前記間仕切り部材の下縁に、複数の前記第三の棒状部材を取付け可能に構成されたことを特徴とする請求項４に記載のパーティション。
【考案の詳細な説明】
【技術分野】
【０００１】
本考案は、避難所などの広い空間に設置され、かかる空間を仕切り、利用者のプライバシーを確保するパーティションに関するものである。
【背景技術】
【０００２】
避難所として用いられる体育館や集会所などの建物内において、空間を仕切るために設置されるパーティションが知られている。
【０００３】
このようなパーティションは、通常、組み立て式に構成されており、解体された状態で倉庫などに保管され、災害などが発生した際に、避難所に運び込まれて、組み立てられる。
【０００４】
例えば、特許文献１には、複数の板状のパネルを、金具を用いて連結させることによって、平面視略矩形の区画を形成し、利用者のプライバシーを確保することができるパーティションが開示されている。
【０００５】
しかしながら、特許文献１に記載されたパーティションにおいては、金具を用いて複数のパネル同士を連結させる作業が容易でなかった。
【０００６】
さらに、非常時に、数多くの避難者が利用する場所には、大量のパネルを、倉庫に保管し、さらに倉庫から避難所へ運び入れることが必要で、パーティションが嵩張って倉庫内に大きなスペースが必要になり、運搬が容易でないという問題があった。
【０００７】
以上のような問題を解決するため、例えば、特許文献２には、矩形のシートを用い、上下方向に延びる複数の棒状部材に取付けることによって、矩形のシートを略垂直に起立させた状態で保持し、間仕切り部材として用いるパーティションが開示されている。このように、特許文献２においては、間仕切り部材として、パネルの代わりにシートが用いられているから、シートを、複数の棒状部材から取り外して、小さく折り畳むことによって、狭いスペースに保管し、容易に運搬することができる。
【先行技術文献】
【特許文献】
【０００８】
【特許文献１】特開２００６−１９４０４３号
【特許文献２】特開２０１２−２２５０８９号
【考案の概要】
【考案が解決しようとする課題】
【０００９】
しかしながら、特許文献２に記載されたパーティションにおいては、上下方向に延びる複数の棒状部材がそれぞれ、床面に載置される円柱状の支持部材に固定されており、シートが支持部材の高さ位置まで下方に延びていないため、避難所の床とシートとの間に、支持部材の高さの分だけ隙間が形成され、特に、利用者が横になったときに、プライバシーを確保することができないという問題があった。
【００１０】
また、複数の棒状部材および円柱状の支持部材は、樹脂、金属、木などの剛性を有する材料で構成されるため、重く、運搬が容易でなかった。
【００１１】
したがって、本考案は、シートによって空間を仕切ることができ、軽量で、かつ、利用者のプライバシーを確保することができるパーティションを提供することを目的とするものである。
【課題を解決するための手段】
【００１２】
本考案のかかる目的は、
略矩形をなすシート状の間仕切り部材であって、略垂直に起立した状態で水平方向に並ぶ複数の略矩形の領域を有する前記間仕切り部材と、
各前記領域に２本ずつ取付けられる複数の第一の棒状部材とを備え、
複数の前記領域にはそれぞれ、２本の前記第一の棒状部材を前記領域に取付けるための取付け手段が設けられ、
前記間仕切り部材が略垂直に起立した状態で、２本の前記第一の棒状部材のうちの一方の前記第一の棒状部材の上部が、前記領域の左辺上部に沿い、一方の前記第一の棒状部材の下部が、前記領域の下辺右部に沿い、
他方の前記第一の棒状部材の上部が、前記領域の右辺上部に沿い、他方の前記第一の棒状部材の下部が、前記領域の下辺左部に沿うように、２本の前記第一の棒状部材が交差した状態で、前記取付け手段によって各前記領域に取付け可能に構成されたことを特徴とするパーティションによって達成される。
【００１３】
本考案によれば、シート状の間仕切り部材の各領域に取付けられる２本の第一の棒状部材の上部がそれぞれ、領域の左辺上部または右辺上部に沿い、２本の第一の棒状部材の下部がそれぞれ、領域の下辺右部または下辺左部に沿うように、２本の第一の棒状部材が交差した状態で、シート状の間仕切り部材の各領域に取付け可能に構成されているから、２本の第一の棒状部材によって、間仕切り部材の各領域を平面状にピンと張ることができる。
【００１４】
さらに、このように、間仕切り部材の各領域で第一の棒状部材を交差させ、間仕切り部材の各領域をピンと張ることが可能に構成されていることによって、間仕切り部材の隣接する領域同士に平面視で角度をつけて、床に対して間仕切り部材を略垂直に自立させることができるから、特許文献２に記載されたパーティションのように、棒状部材を支持する支持部材を別途設けて、または、棒状部材を、安定して自立可能な程度に太く構成する必要がなく、したがって、パーティションを軽量に製作することができる。
【００１５】
また、本考案によれば、複数の第一の棒状部材の下部がそれぞれ、間仕切り部材の各領域の下辺に沿うように各領域に取付けられるから、略矩形をなすシート状の間仕切り部材の下辺を床に当接させることができ、利用者のプライバシーを確保することができる。
【００１６】
本考案の好ましい実施態様においては、複数の前記第一の棒状部材がそれぞれ、前記領域に取付けられていないときに略直線状をなし、かつ、前記領域に取付けられたときに、その上部が前記領域の左辺上部または右辺上部に沿い、その下部が、前記領域の下辺右部または下辺左部に沿うようにしなる。
【００１７】
本考案のこの好ましい実施態様によれば、各第一の棒状部材の上部が、各領域の左辺上部または右辺上部に沿い、各第一の棒状部材の下部が、各領域の下辺右部または下辺左部に沿うようにしなった状態（湾曲した状態）で、間仕切り部材の各領域に取付けられるから、各第一の棒状部材の反発力を利用して、間仕切り部材の各領域を、一層ピンと張ることができる。
【００１８】
本考案のさらに好ましい実施態様においては、各前記領域の上縁にそれぞれ、上縁に沿うように、第二の棒状部材が設けられている。
【００１９】
本考案のこの好ましい実施態様によれば、間仕切り部材の各領域の上縁に沿うように第二の棒状部材が設けられているから、各領域上縁の幅方向中央部が下方に垂れてしまう事態を防止することができる。
【００２０】
本考案のさらに好ましい実施態様においては、
前記間仕切り部材は複数枚であり、
さらに、各前記領域に２本ずつ前記第一の棒状部材が取り付けられて、略垂直に起立した複数の前記間仕切り部材を、平面視において略矩形に連結する第一の連結手段と、
複数の第三の棒状部材と、
複数の前記第三の棒状部材を略矩形に連結する第二の連結手段を備え、
前記第一の連結手段によって平面視略矩形に連結された複数の前記間仕切り部材の上縁に、前記第二の連結手段によって略矩形に連結された複数の前記第三の棒状部材を取付け可能に構成されている。
【００２１】
本考案のこの好ましい実施態様によれば、平面視において略矩形に連結された複数の間仕切り部材の上縁に、略矩形に連結された第三の棒状部材を取付けることができるから、軽量なシート状をなす間仕切り部材の上縁が風によって振れたり、変形する事態を効果的に抑制することができる。
【００２２】
さらに、本考案のこの好ましい実施態様によれば、避難所において、間仕切り部材を設置する前に、予め、各パーティションの第三の棒状部材を矩形状に連結し、避難所の床に並べておくことによって、複数のパーティションの区分けを行うことができる。すなわち、予め、各パーティションの矩形状に連結させた第三の棒状部材を、各パーティションの設置が予定される場所に配置し、各パーティションの設置場所や、各パーティション同士の間隔を調整しておくことによって、各パーティションを組み立てた後に、場所を移動させる事態を防止することができ、移動作業の負担をなくすことができる。
【００２３】
本考案のさらに好ましい実施態様においては、
前記第一の連結手段によって平面視略矩形に連結された複数の前記間仕切り部材の下縁に、複数の前記第三の棒状部材を取付け可能に構成されている。
【００２４】
本考案のこの好ましい実施態様によれば、平面視において略矩形に連結された複数の間仕切り部材の下縁に、複数の第三の棒状部材を取付けることができるから、間仕切り部材の下縁が変形してしまう事態を防止することができる。
【考案の効果】
【００２５】
本考案によれば、シートによって空間を仕切ることができ、軽量で、かつ、利用者のプライバシーを確保することができるパーティションを提供することが可能になる。
【図面の簡単な説明】
【００２６】
【図１】図１は、本考案の好ましい実施態様にかかるパーティションの第一のシートが平面状に広げられた状態を示す図面である。
【図２】図２は、第一のシートに８本の第一の骨格部材が取付けられた状態を示す図面である。
【図３】図３は、第一のシートおよび第二のシートが連結される様子を示す略斜視図である。
【図４】図４（ａ）は、パーティションの平面図であり、図４（ｂ）は、パーティションの底面図である。
【図５】図５は、パーティションの略斜視図である。
【図６】図６は、図１に示されたＸ−Ｘ線に沿った左側の帯の近傍の模式的水平断面図である。
【図７】図７は、第一のシートの矩形領域左部の下側の折り返し部の近傍を示す図面である。
【図８】図８は、第一の骨格部材が取付けられた第一のシートが自立した状態を示す略斜視図である。
【図９】図９は、図１のＺ−Ｚ線に沿った上側の折り返し部の近傍の模式的縦断面図である。
【図１０】図１０は、上縁骨格部材の組み立て方を示す図面である。
【図１１】図１１は、扉として使用される第一のシートの矩形領域が開かれた状態を示すパーティションの略斜視図である。
【図１２】図１２は、避難所の床に複数の上縁骨格部材が並べられた状態を示す模式的平面図である。
【考案を実施するための形態】
【００２７】
以下、添付図面に基づいて、本考案の好ましい実施態様につき、詳細に説明を加える。
【００２８】
本考案の好ましい実施態様にかかるパーティション１は、以下のようにして組み立てられる。
【００２９】
図１は、本考案の好ましい実施態様にかかるパーティション１の第一のシートが平面状に広げられた状態を示す図面であり、図２は、第一のシートに８本の第一の骨格部材（第一の棒状部材に相当）が取付けられた状態を示す図面である。
【００３０】
本実施態様にかかるパーティション１においては、図１に示されている第一のシート２と、第一のシート２と同一に構成された第二のシート３（図１および図２には図示せず）によって、空間を間仕切り可能に構成されている。
【００３１】
図１に示されるように、第一のシート２は、４２０ｃｍ×１７４ｃｍの矩形状のシートであり、図１および図２に示されるように、幅方向に、同一の幅および高さを有する４つの矩形領域５、６、７、８が形成されている。
【００３２】
パーティション１が組み立てられる際には、まず、図２に示されるように、第一のシート２の矩形領域５の一方の面に、２本の第一の骨格部材３１および３２が取付けられ、矩形領域６の一方の面に、２本の第一の骨格部材３３および３４が取付けられる。さらに、矩形領域７の一方の面には２本の第一の骨格部材３５および３６が取付けられ、矩形領域８の一方の面には２本の第一の骨格部材３７および３８が取付けられる（ステップ１）。
【００３３】
なお、以下において、第一の骨格部材３１ないし３８が取付けられる第一のシート２の面を「内側の面」といい、その反対側の面を「外側の面」という。本実施態様においては、第一のシート２の外側の面には何も取付けされない。
【００３４】
図３は、第一のシート２および第二のシートが連結される様子を示す略斜視図である。
【００３５】
また、図４（ａ）は、パーティション１の平面図であり、図４（ｂ）は、パーティション１の底面図であり、図５は、パーティション１の略斜視図である。
【００３６】
次いで、図３に示されるように、第一のシート２の各矩形領域５ないし８がそれぞれ床に対して略垂直となるように第一のシート２が起立される（ステップ２）。
【００３７】
第一のシート２が起立されると、同様にして、第一のシート２と同一に構成された第二のシート３の各矩形領域２５ないし２８に、第一の骨格部材が２本ずつ取付けられ、第二のシート３が起立される（ステップ３）。なお、矩形領域２５ないし２８は、第一のシート２の矩形領域５ないし８に対応する。
【００３８】
こうして、第一のシート２および第二のシート３が起立されると、上縁骨格部材５７が略矩形に組み立てられて、図３に示されるように、第一のシート２の矩形領域６および７の内側の面の上縁に、上縁骨格部材５７の一辺（後に詳述する第三の骨格部材５８）が取付けられる（ステップ４）。
【００３９】
このとき、矩形領域６および７の上縁に取付けられた上縁骨格部材５７の一辺に平行な一辺（第三の骨格部材５８）は、床（設置面）に当接している。
【００４０】
次いで、図３に示されるように、第一のシート２と第二のシート３が互いに連結される（ステップ５）。
【００４１】
具体的には、第一のシート２の左側の縁に設けられた３つの面ファスナー２１（図１および図３参照）に、第二のシート３の右側の縁に設けられた３つの面ファスナー２２が係合され、第一のシート２の右側の縁に設けられた３つの面ファスナー２２に、第二のシート３の左側の縁に設けられた３つの面ファスナー２１が係合される。その結果、図５に示されるように、互いに連結された第一のシート２および第二のシート３に四方を囲まれた間仕切り空間９が形成される。このとき、第一の骨格部材３１ないし３８が取り付けられた第一のシート２および第二のシート３の内側の面がそれぞれ、間仕切り空間９に対向する。以下、図５に示されるように、互いに連結された第一のシート２および第二のシート３を基準にして、間仕切り空間９の側を「内側」といい、その反対側を「外側」という。
【００４２】
このようにして、第一のシート２と第二のシート３が連結されると、床に当接している上縁骨格部材５７の一辺（第三の骨格部材５８）が持ち上げられ、第二のシート３の矩形領域２６および２７の上縁内側に取付けられる（ステップ６）。
【００４３】
次いで、略矩形をなす上縁骨格部材５７の残りの２辺（第三の骨格部材５８）が、互いに連結された第一のシート２および第二のシート３の矩形領域８および２５の上縁内側と、矩形領域５および２８の上縁内側にそれぞれ取り付けられる（ステップ７）。
【００４４】
このとき、互いに連結された第一のシート２および第二のシート３の上縁内側に、略矩形をなす上縁骨格部材５７が取付けられることによって、図４（ａ）に示されるように、平面視において、第一のシート２および第二のシート３はそれぞれ略「コ」の字状をなし、併せて略矩形状をなしている。
【００４５】
最後に、図４（ｂ）に示されるように、第一のシート２と第二のシート３の下縁内側に、下縁骨格部材６６が取り付けられる（ステップ８）。
【００４６】
以上のようにして組み立てられるパーティション１の第一のシート２、第二のシート３、第一の骨格部材３１ないし３８、上縁骨格部材５７および下縁骨格部材６６は、詳細には以下のように構成されている。
【００４７】
図１および図２に示されるように、第一のシート２の上下左右の縁はそれぞれ、２つ折りに折り返された状態で縫合されている。
【００４８】
具体的には、上側の折り返し部１００はミシン目９０の位置で、下側の折り返し部１０２はミシン目７２ないし７６の位置で、左側の折り返し部１０１はミシン目９１および９２の位置で、右側の折り返し部１０３はミシン目９３および９４の位置でそれぞれ、縫合されている。なお、図１および図２には、第一のシート２に形成されたすべてのミシン目が破線で示されている。
【００４９】
本実施態様においては、矩形領域５ないし８のいずれかに取付けられる計８本の第一の骨格部材３１ないし３８は同一の棒状部材であり、それぞれ、グラスファイバーによって形成され、図２に示されるように、第一のシート２に取付けられていないときには略直線状をなし、第一のシート２に取付けられたときには、曲線状にしなるように構成されている。
【００５０】
なお、図１および図２においては、各第一の骨格部材３１ないし３８の（後に詳述する）左筒部１７、８１および８４と右筒部１８、８２および８５内に位置する部分と、左側の折り返し部１０１および右側の折り返し部１０３によって隠れる部分はそれぞれ、二点鎖線で示されている。
【００５１】
図１および図２に示されるように、第一のシート２の矩形領域５と矩形領域６との間の境目部分６８と、矩形領域６と矩形領域７との間の境目部分６９と、矩形領域７と矩形領域８との間の境目部分７０にはそれぞれ、帯１９、２９または３９が設けられている。本実施態様においては、帯１９、２９および３９によって、６本の第一の骨格部材３２ないし３７の上部をそれぞれ、第一のシート２に取付け可能に構成されている。
【００５２】
図６は、図１に示されたＸ−Ｘ線に沿った左側の帯１９の近傍の模式的水平断面図である。
【００５３】
本実施態様においては、図１および図６に示されるように、境目部分６８と、帯１９の左右方向（幅方向）中央部の位置が重なるように、帯１９が第一のシート２に取付けられている。
【００５４】
具体的には、帯１９は、左右の端部および左右方向中央部の計３か所において、ミシン目が上下方向（図１に示される高さ方向）に延びるように第一のシート２に縫合されている。
【００５５】
ここに、図６に示されるように、帯１９は、波状をなす状態で第一のシート２に縫合されており、その結果、帯１９と第一のシート２との間に、高さ方向に延びる左筒部１７および右筒部１８が形成されている。
【００５６】
したがって、避難所の管理者は、第一の骨格部材３２の一方の端部を、左筒部１７に挿入することによって、略矩形をなす矩形領域５の右辺上部に沿うように、第一の骨格部材３２の上部を矩形領域５に取付けし、第一の骨格部材３３の一方の端部を、右筒部１８に挿入することによって、矩形領域６の左辺上部に沿うように、第一の骨格部材３３の上部を矩形領域６に取付けすることができる。
【００５７】
一方、他の境目部分６９および７０にもそれぞれ、帯２９または３９が波状をなす状態で第一のシート２に縫い付けられた結果、図１および図２に示されるように、境目部分６９の左右に左筒部８１および右筒部８２が、境目部分７０の左右に左筒部８４および右筒部８５がそれぞれ形成されている。
【００５８】
したがって、管理者は、第一の骨格部材３４の一方の端部を、左筒部８１に挿入することによって、第一の骨格部材３４の上部を、略矩形をなす矩形領域６の右辺上部に沿うように、矩形領域６に取付けし、第一の骨格部材３５の一方の端部を、右筒部８２に挿入することによって、第一の骨格部材３５の上部を、略矩形をなす矩形領域７の左辺上部に沿うように、矩形領域７に取付けすることができる。
【００５９】
さらに、同様にして、管理者は、第一の骨格部材３６の一方の端部を、左筒部８４に挿入することによって、第一の骨格部材３６の上部を、矩形領域７の右辺上部に沿うように、矩形領域７に取付けし、第一の骨格部材３７の一方の端部を、右筒部８５に挿入することによって、第一の骨格部材３７を、矩形領域８の左辺上部に沿うように、矩形領域８に取付けすることができる。
【００６０】
図１および図２にミシン目９０として示されるように、帯１９、２９および３９の上端部は、折り返された第一のシート２の上端部とともに縫合されており、各第一の骨格部材３２ないし３７の上端部が、左筒部１７、８１および８４または右筒部１８、８２および８５の上端部から突出するという事態が防止されている。
【００６１】
一方、図１および図２に示されるように、第一のシート２の左側の折り返し部１０１の上部は、ミシン目９１によって右側の縁が閉じられており、その結果、高さ方向に延びる筒状の左端筒部１０９が内部に形成されている。さらに、ミシン目９１とミシン目９２の間には、縫合されていない間隙２３が設けられている。
【００６２】
したがって、管理者は、図２に示されるように、第一の骨格部材３１の一方の端部を、間隙２３から、左端筒部１０９に挿入することによって、第一の骨格部材３１の上部を、矩形領域５の左辺上部に沿うように、矩形領域５に取付けることができる。
【００６３】
一方、第一のシート２の右側の折り返し部１０３の上部も、同様に、ミシン目９３によって、左側の縁が閉じられており（右側の折り返し部１０３の上部が、対向する第一のシート２の部分に縫合されており）、その結果、高さ方向に延びる筒状の右端筒部１１０が内部に形成されている。さらに、ミシン目９３とミシン目９４の間には、縫合されていない間隙２４が設けられている。
【００６４】
したがって、管理者は、図２に示されるように、第一の骨格部材３８の一方の端部を、間隙２４から、右端筒部１１０に挿入することによって、矩形領域８の右辺上部に沿うように、第一の骨格部材３８の上部を、矩形領域８に取付けることができる。
【００６５】
以上のようにして、第一のシート２のいずれかの矩形領域５ないし８に、その上部が取付けられた第一の骨格部材３１ないし３８の下部を、管理者は、以下のようにして、上部が取付けられた矩形領域と同一の矩形領域の下側の折り返し部１０２と、折り返されていない第一のシート２の部分（下側の折り返し部１０２に対向する第一のシート２の部分）との間に挿入し、取付けることができる。なお、図２においては、便宜上、下側の折り返し部１０２によって隠れるべき第一の骨格部材３１ないし３８の部分についても実線で示されている。
【００６６】
図７は、第一のシート２の矩形領域６左部の下側の折り返し部１０２の近傍を示す図面であり、図７（ａ）は、矩形領域６左部の下側の折り返し部１０２の近傍に、第一の骨格部材３４を取付ける方法を示す説明図であり、図７（ｂ）は、矩形領域６の下側の折り返し部１０２の近傍に、第一の骨格部材３３および３４が取付けられた状態を示す部分拡大斜視図である。
【００６７】
なお、図７（ａ）においては、後に詳述する取付けベルト１０（図７（ｂ）に図示）は便宜上省略されている。
【００６８】
図２、図７（ａ）および図７（ｂ）に示されるように、矩形領域６内の下側の折り返し部１０２においては、その左上部（境目部分６８の右方近傍の上部）が、第一のシート２の折り返されていない部分（折り返し部１０２に対向する第一のシート２の部分）に縫合されている。
【００６９】
その結果、図７（ａ）の吹き出し内において、Ｙ−Ｙ線に沿った模式的縦断面図として示されるように、ミシン目７３の下方に、幅方向に延びる筒状の下筒部３９が形成されている。
【００７０】
さらに、図２に示されるように、破線で示されたミシン目７３とミシン目７４との間には、第一のシート２の幅方向に、縫合されていない間隙が設けられている。
【００７１】
したがって、管理者は、その上部が左筒部８１に挿入された第一の骨格部材３４の下部を、左方へ湾曲させた後に、図７（ａ）に示されるように、下側の折り返し部１０２のミシン目が形成されていない間隙の部分から、下筒部３９に挿入することによって、矩形領域６の下辺左部に沿うように、第一の骨格部材３４の下部を、矩形領域６に取付けることができる。
【００７２】
また、ミシン目７３として示されるように、矩形領域５の右下部においても、下側の折り返し部１０２の上部と、対向する第一のシート２の部分が縫合され、下筒部３９と同様の筒状の部分が形成されている。
【００７３】
さらに、図２において、境目部分６９および７０のそれぞれから、左右方向に延びるミシン目７４および７５として示されるように、下側の折り返し部１０２の上端部が、下側の折り返し部１０２に対向する第一のシート２の部分に部分的に縫合されている。その結果、ミシン目７４および７５の下方にもそれぞれ、下筒部３９と同様に、幅方向に延びる筒状の部分が形成されている。
【００７４】
したがって、管理者は、第一の骨格部材３４の場合と同様にして、第一の骨格部材３１の下端部を、左側からミシン目７３の下方の筒部へ挿入し、第一の骨格部材３３および３６の下端部を、左右方向外側から、ミシン目７４の下方の筒部へ挿入し、第一の骨格部材３５および３８の下端部を、左右方向外側から、ミシン目７５の下方の筒部へ挿入することによって、第一の骨格部材３１、３３、３５、３６および３８の下部をそれぞれ、矩形領域５ないし８の下端部に取付けることができる。
【００７５】
本実施態様においては、図７（ａ）に示されるように、ミシン目７３は、矩形領域５と矩形領域６との間の境目部分６８から左右方向（幅方向）外側に延びるように形成されており、また、下側の折り返し部１０２の境目部分６８と重なる位置には、高さ方向に延びるミシン目７８が形成され、下筒部３９の左端部（吹き出し内の図面奥側の端部）がミシン目７８で閉じられている。
【００７６】
同様に、図２に破線で示されるように、下側の折り返し部１０２の他の境目部分６９および７０と重なる位置にもそれぞれ、高さ方向に延びるミシン目が形成されている。
【００７７】
このように構成することによって、上述のようにして各矩形領域５ないし８に取付けられた第一の骨格部材３１、３３ないし３６および３８の下端部がそれぞれ、隣り合う矩形領域内に侵入することがない。
【００７８】
また、図２および図６に示されるように、第一の骨格部材３２ないし３７の上部はそれぞれ、各境目部分６８ないし７０にかかる（跨る）ことなく、左右の筒部１７，１８，８１，８２，８４または８５のいずれか１つに挿入されている。
【００７９】
したがって、第一の骨格部材３１ないし３８が取付けられた状態であっても、管理者は、第一のシート２を、図８に示されるように、隣り合う矩形領域同士に角度をつけて配置し、または隣り合う矩形領域同士が当接するように折り畳むことができる。
【００８０】
一方、図２において、幅方向に延びるミシン目７２および７６として示されるように、下側の折り返し部１０２の左右両端部が、対向する第一のシート２の折り返されていない部分に縫合されている。その結果、吹き出し内に模式的縦断面図として示されるように、ミシン目７２および７６の下方にそれぞれ、第一のシート２の幅方向に延びる筒状の下筒部８８および８７が形成されている。
【００８１】
したがって、管理者は、第一の骨格部材３２の下端部を、左方に湾曲させ、右側から、ミシン目７２の下方に形成された下筒部８８に挿入して、矩形領域５の下辺左部に沿うように、第一の骨格部材３２の下部を、矩形領域５に取付けることができる。
【００８２】
また、管理者は、第一の骨格部材３７の下端部を、右方に湾曲させ、左側から、ミシン目７６の下方に形成された下筒部８７に挿入して、矩形領域８の下辺右部に沿うように、第一の骨格部材３７の下部を、矩形領域８に取付けることができる。
【００８３】
本実施態様においては、第一のシート２は、下側の縁が上方に折り返された状態で、左右の縁が幅方向内側に折り返されたことによって、下側の折り返し部１０２および左右の折り返し部１０１および１０３が形成されている。
【００８４】
したがって、ミシン目７２および７６の下方に形成された下筒部８８および８９に、第一のシート２の幅方向内側から挿入された第一の骨格部材３２および３７の下端部が、第一のシート２から幅方向外側へ突出することがなく、管理者は、第一の骨格部材３２および３７が取付けられた状態であっても、第一のシート２を安全に折り畳むことができる。
【００８５】
なお、図２および図７（ｂ）に示されるように、各矩形領域５ないし８の下側の折り返し部１０２上縁の左右方向中央部にはそれぞれ、２つの面ファスナー１０６が設けられている。また、折り返されていない第一のシート２の部分であって、面ファスナー１０６に対向する部分にはそれぞれ、図７（ｂ）に示されるように、面ファスナー１０７が設けられている。
【００８６】
したがって、避難所の管理者は、各矩形領域５ないし８に、第一の骨格部材３１ないし３８を２本ずつ取付けた後に、下側の折り返し部１０２上端に設けられた各面ファスナー１０６を、対向する位置に設けられた面ファスナー１０７に係合させることによって、各矩形領域５ないし８の下側の折り返し部１０２の左右方向中央部が垂れる事態を防止することができる。
【００８７】
なお、本実施態様においては、すべての面ファスナーが、フックとループが混在するタイプのものである。
【００８８】
以上のようにして、管理者によって、各矩形領域５ないし８に第一の骨格部材３１ないし３８が２本ずつ取付けられると、図２に示されるように、各矩形領域５ないし８において、各第一の骨格部材３１ないし３８の上部がそれぞれ、各矩形領域の左辺上部または右辺上部に沿うように湾曲し、各第一の骨格部材３１ないし３８の下部がそれぞれ、各矩形領域の下辺右部または下辺左部に沿うように湾曲し、２本の第一の骨格部材が互いに交差した状態となる。
【００８９】
ここに、第一の骨格部材３１ないし３８は、図２の図面下部に示されるように、元々直線状をなすグラスファイバーによって構成されており、第一の骨格部材３１ないし３８が、湾曲された形状から直線状をなす形状に戻ろうとする力、すなわち反発力を利用して、第一のシート２の各矩形領域５ないし８を、最小限の数の第一の骨格部材３１ないし３８で、平面状にピンと張ることができる。
【００９０】
したがって、避難所の管理者は、各矩形領域５ないし８に第一の骨格部材３１ないし３８を２本ずつ取付けた後に、矩形領域同士に角度をつけて配置することによって、屏風のように、第一のシート２を自立させることができる。
【００９１】
図８は、第一の骨格部材３１ないし３８が取付けられた第一のシート２が自立した状態を示す略斜視図である。
【００９２】
図８に示されるように、隣り合う矩形領域同士に角度をつけて、例えば、平面視ジグザグ（つづら折り）の状態で設置されると、第一のシート２は、屏風のように安定して自立することができ、避難所などの空間を簡易的に間仕切りすることが可能である。
【００９３】
図９は、図１のＺ−Ｚ線に沿った上側の折り返し部１００の近傍の模式的縦断面図であり、図９（ａ）は、第一のシート２に上縁骨格部材５７が取り付けられる前の状態を示す上側の折り返し部１００の近傍の模式的縦断面図であり、図９（ｂ）は、第一のシート２に上縁骨格部材５７が取り付けられた状態を示す上側の折り返し部１００の近傍の模式的縦断面図である。
【００９４】
図２および図９（ａ）にミシン目９０として示されるように、第一のシート２の上端部が内側（図５において間仕切り空間９に対向する側）に折り返された状態で、上側の折り返し部１００の下部と、折り返されていない第一のシート２の部分（上側の折り返し部１００に対向する第一のシート２の部分）とが縫合され、その結果、筒状をなす上筒部４０（図９（ａ）参照）が内部に形成されている。
【００９５】
上筒部４０は、第一のシート２の幅方向に延び、各矩形領域５ないし８の上筒部４０内にそれぞれ、図２に一点鎖線で示されるように、棒状をなす第二の骨格部材５３（第二の棒状部材に相当）が取外し不能に挿入されている。換言すれば、第一のシート２の各矩形領域５ないし８の上縁部内部にそれぞれ、第二の骨格部材５３が１本ずつ設けられている。
【００９６】
したがって、図３、図５および図８に示されるように、第一のシート２の各矩形領域５ないし８が、計８本の第一の骨格部材３１ないし３８によって平面状にピンと張られ、第一のシート２が床に対して略垂直に自立した状態であっても、各矩形領域５ないし８の左右方向中央部の上縁が下方に垂れることがない。
【００９７】
なお、図２に示されるように、上筒部４０は、各境目部分６８ないし７０で、上下方向に延びるミシン目によって閉じられており、第二の骨格部材５３の左右の端部が、隣り合う矩形領域に侵入することがなく、したがって、第一のシート２が屏風のように矩形領域単位で折り畳まれるときに、第二の骨格部材５３がその妨げになる事態を防止することができる。
【００９８】
また、本実施態様においては、第二の骨格部材５３および第一の骨格部材５３は、取付けベルト１０よりも外側に配置されているが、図１および図２においては、第二の骨格部材５３および第一の骨格部材５３の全体を見易くするために、取付けベルト１０によって隠れるべき部分についても、隠さずに示されている。
【００９９】
本実施態様においては、４本の第二の骨格部材５３はそれぞれ、グラスファイバーによって構成されており、軽量化が図られている。
【０１００】
一方、図３および図５に示されるように、互いに同一に構成された第一のシート２と第二のシート３の矩形領域５および矩形領域２５にはそれぞれ、開閉可能な窓部４が形成されており、パーティション１の外側から、窓部４を通じて、間仕切り空間９内にいる利用者に食事を提供したり、利用者の状況を確認することができ、利便性が良い。
【０１０１】
本実施態様においては、窓部４は、矩形領域５および２５に形成された開口（図示せず）と、かかる開口よりも僅かに広く形成されたシート（図示せず）を備え、開口が、面ファスナーを用いて、シートで内側から覆われたり、あるいは開口を覆うシートが取り外されることによって、開閉可能に構成されている。
【０１０２】
以上のように構成された第一のシート２および第二のシート３の左右一方の縁部には３つの面ファスナー２１が、左右他方の縁部には３つの面ファスナー２２がそれぞれ、上下方向に並んだ状態で設けられ（図１および図３参照）、３つの面ファスナー２１と、３つの面ファスナー２２とは、互いに同一の高さ位置に構成されている。
【０１０３】
したがって、避難所の管理者は、上述のように、第一のシート２の３つの面ファスナー２１に、第二のシート３の３つの面ファスナー２２を係合させ、第一のシート２の３つの面ファスナー２２に、第二のシート３の３つの面ファスナー２１を取付けることによって、第一のシート２と第二のシート３を互いに連結させ、その内側に、間仕切り空間９（図４および図５参照）を形成することができる。
【０１０４】
しかしながら、第一のシート２と第二のシート３は非常に軽量であるため、実際の避難所においては、施設の出入口から風が吹き込んだり、人や物が接触することによって、互いに連結された第一のシート２と第二のシート３の上縁と下縁が変形してしまうことがあった。
【０１０５】
このような状況に照らして、本実施態様においては、図１ないし図５に示されるように、第一のシート２および第二のシート３の各矩形領域５ないし８ならびに２５ないし２８の上縁内側および下縁内側にそれぞれ、取付けベルト１０が２つずつ設けられている。
【０１０６】
そして、第一のシート２と第二のシート３が互いに連結される際に、これらの取付けベルト１０を用いて、第一のシート２および第二のシート３の上縁内側に、上縁骨格部材５７（図４（ａ）参照）が取り付けられ、下縁内側に、下縁骨格部材６６（図４（ｂ）参照）が取付けられることによって、第一のシート２および第二のシート３の上縁および下縁が変形してしまう事態を防止可能に構成されている。
【０１０７】
まず、以下に、上縁骨格部材５７および下縁骨格部材６６の構造と、上縁骨格部材５７および下縁骨格部材６６の各第三の骨格部材５８（第三の棒状部材に相当）を第一のシート２および第二のシート３に取付ける方法について、詳細に説明を加える。
【０１０８】
図１０は、上縁骨格部材５７の組み立て方を示す図面であり、図１０（ａ）は、上縁骨格部材５７が組み立てられる前の状態を示す略平面図である。
【０１０９】
上縁骨格部材５７は、図１０（ａ）に示されるように、４本の第三の骨格部材５８と、各第三の骨格部材５８の両端部に周方向に巻き付けられた面ファスナー６０と、４本の第三の骨格部材５８を矩形に連結するための４つの連結金具５１と、４本の第三の骨格部材５８を連結させた状態で保持する４つの保持部材５０を備えている。
【０１１０】
本実施態様においては、４本の第三の骨格部材５８は、グラスファイバーによって構成された中空部材であり、第一のシート２および第二のシート３に取付けられる第一の骨格部材３１ないし３８よりも太く構成され、軽量ながらも剛性を備えている。
【０１１１】
一方、図１０（ｂ）は、連結金具５１によって２本の第三の骨格部材５８が連結された状態を示す部分拡大図であり、図１０（ｃ）は、略矩形に連結された第三の骨格部材５８の角部に、保持部材５０が取付けられる様子を示す部分拡大図であり、図１０（ｄ）は、略矩形に連結された第三の骨格部材５８の角部に、保持部材５０が取付けられた状態を示す部分拡大図である。
【０１１２】
連結金具５１はＬ字状をなす棒状部材であり、その外径の大きさは、４本の第三の骨格部材５８の内径の大きさと略同一に構成されている。
【０１１３】
各保持部材５０は、図１０（ｃ）に示されるように、シート状をなす矩形の保持シート５２と、保持シートの４か所に取付けられた４つの面ファスナー６１ないし６４を備えている。
【０１１４】
上縁骨格部材５７が組み立てられる際には、まず、管理者によって、図１０（ａ）に矢印で示されるように、各連結金具５１の両方の端部が、各第三の骨格部材５８の中空部分に挿入されることによって、４本の第三の骨格部材５８が、平面視において略矩形に連結される。このとき、略矩形に連結された第三の骨格部材５８の４つの角部（四隅）はそれぞれ、図１０（ｂ）に示された状態となる。
【０１１５】
次いで、図１０（ｃ）に示されるように、管理者によって、略矩形に連結された第三の骨格部材５８の四隅にそれぞれ、保持部材５０が取付けられる。
【０１１６】
具体的には、まず、管理者によって、図１０（ｃ）に矢印付きの一点鎖線で示されるように、略矩形に連結された第三の骨格部材５８の四隅がそれぞれ、外側から保持部材５０で包み込まれるように、一方の第三の骨格部材５８に設けられた面ファスナー６０に面ファスナー６１が、他方の第三の骨格部材５８に設けられた面ファスナー６０に面ファスナー６２がそれぞれ係合される。
【０１１７】
次いで、管理者によって、各保持部材５０の面ファスナー６４と面ファスナー６３が係合され、第三の骨格部材５８の四隅が連結された状態で保持される（図１０（ｄ）参照）。
【０１１８】
以上のようにして、略矩形に組み立てられた上縁骨格部材５７の各第三の骨格部材５８を、避難所の管理者は、以下のようにして、第一のシート２および第二のシート３の各矩形領域５ないし８ならびに２５ないし２８の上縁内側に取付けることができる。
【０１１９】
第一のシート２および第二のシート３の各矩形領域５ないし８ならびに２５ないし２８の上縁内側に２つずつ設けられた各取付けベルト１０はすべて同一に構成されており、図９（ａ）および図９（ｂ）には、第一のシート２の矩形領域８の上縁に設けられた取付けベルト１０が示されている。
【０１２０】
各取付けベルト１０は、図９（ａ）に示されるように、上方ベルト１１および下方ベルト１２を備え、上方ベルト１１は、その下面に面ファスナー１３を有し、下方ベルト１２は、その下面に面ファスナー１４を有している。
【０１２１】
各矩形領域５ないし８ならびに２５ないし２８の上縁内側に上縁骨格部材５７の第三の骨格部材５８が取付けられるときには、まず、管理者によって、第三の骨格部材５８に、下方から、取付けベルト１０の下方ベルト１２が巻き付けられる。
【０１２２】
次いで、第三の骨格部材５８および下方ベルト１２に、上方から、各取付けベルト１０の上方ベルト１１が巻き付けられることによって、図９（ｂ）に示されるように、面ファスナー１３と面ファスナー１４が係合され、各矩形領域５ないし８ならびに２５ないし２８の上縁内側に、上縁骨格部材５７の第三の骨格部材５８が固定される。
【０１２３】
一方、下縁骨格部材６６は、３本の第三の骨格部材５８を備えているが、上縁骨格部材５７の場合と異なり、面ファスナー６０、連結金具５１および保持部材５０は備えていない。
【０１２４】
したがって、平面視（および底面視）において、併せて略矩形に連結された第一のシート２および第二のシート３の下縁４辺のうち、扉として使用される矩形領域５を含む一辺を除く他の３辺にそれぞれ、図４（ｂ）に示されるように、下縁骨格部材６６の３本の第三の骨格部材５８が、別々に取付けられる。３本の第三の骨格部材５８が取付けられる３辺は、具体的には、矩形領域６および７の下縁と、矩形領域８および２５の下縁と、矩形領域２６および２７の下縁を指し、３本の第三の骨格部材５８が取付けされない一辺は、具体的には、矩形領域５および２８の下縁を指す。
【０１２５】
本実施態様においては、図４、図１、図７（ｂ）および図８に示されるように、第一のシート２および第二のシート３の矩形領域６ないし８ならびに２５ないし２７の下縁にそれぞれ、上縁に設けられた取付けベルト１０と同一に構成された取付けベルト１９が２つずつ設けられている。
【０１２６】
したがって、管理者は、同様にして、取付けベルト１０を用いて、矩形領域６および７の下縁と、矩形領域８および２５の下縁と、矩形領域２６および２７の下縁にそれぞれ、下縁骨格部材６６の第三の骨格部材５８を取付けることができる。
【０１２７】
図１１は、扉として使用される第一のシート２の矩形領域５が開かれた状態を示すパーティション１の略斜視図である。
【０１２８】
上述のように、本実施態様においては、矩形領域５が扉として用いられる。
【０１２９】
したがって、避難所の管理者または利用者が間仕切り空間９に出入りする際には、第一のシート２の面ファスナー２１（図１ないし図５参照）と、この面ファスナー２１に対向する第二のシート３の面ファスナー２２（図３および図１１参照）が着脱される。また、このとき、矩形領域５の上縁に設けられた取付けベルト１０も、対向する上縁骨格部材５７の第三の骨格部材５８から着脱される。
【０１３０】
図１２は、避難所の床に複数の上縁骨格部材５７が並べられた状態を示す模式的平面図である。
【０１３１】
本実施態様においては、上述のようにパーティション１が組み立てられる際に、上縁骨格部材５７が、平面視において併せて略矩形に連結される第一のシート２および第二のシート３の上縁内側に取付けられる。
【０１３２】
ここに、図４（ａ）に示されるように、平面視略矩形に互いに連結される第一のシート２および第二のシート３に対し、上縁骨格部材５７は、平面視において、僅かに小さく構成されているのみであり、平面視における占有面積としては、上縁骨格部材５７と、パーティション１（略矩形に互いに連結される第一のシート２および第二のシート３）との間に大きな差異はない。
【０１３３】
したがって、避難所内において、管理者は、第一のシート２および第二のシート３に第一の骨格部材３１ないし３８を取り付ける作業を開始する前に、予め、複数の利用者が使用する複数の各パーティション１の各上縁骨格部材５７を組み立て、避難所の床に並べておくことによって、複数のパーティション１の区分けを行うことができる。すなわち、予め、複数のパーティション１の各上縁骨格部材５７を、各パーティション１の設置が予定される場所に配置し、各パーティション１の設置スペースや、各パーティション１同士の間隔を調整しておくことによって、各パーティション１を組み立てた後に、各パーティション１の場所を移動させる事態を防止することができ、各パーティション１の移動作業の負担をなくすことができる。
【０１３４】
本実施態様によれば、間仕切り部材として機能する第一のシート２および第二のシート３の各矩形領域５ないし８ならびに２５ないし２８に取り付けられる２本の第一の骨格部材の上部がそれぞれ、各矩形領域５ないし８ならびに２５ないし２８の左辺上部または右辺上部に沿い、下部がそれぞれ、各矩形領域５ないし８ならびに２５ないし２８の下辺右部または下辺左部に沿うように、２本の第一の骨格部材が交差した状態で、各矩形領域５ないし８ならびに２５ないし２８に取付け可能に構成されているから、２本の第一の骨格部材によって、第一のシート２および第二のシート３の各矩形領域５ないし８ならびに２５ないし２８を平面状にピンと張ることができる。
【０１３５】
さらに、このように、第一のシート２および第二のシート３の各矩形領域５ないし８ならびに２５ないし２８で第一の骨格部材を交差させ、第一のシート２および第二のシート３の各矩形領域５ないし８ならびに２５ないし２８をピンと張ることが可能に構成されていることによって、第一のシート２および第二のシート３の隣接する矩形領域同士に平面視で角度をつけて（図３および図８参照）、第一のシート２および第二のシート３を床に対して略垂直に自立させることができるから、特許文献２に記載されたパーティションのように、棒状部材を支持する支持部材を別途設けて、または、棒状部材を、安定して自立可能な程度に太く構成する必要がなく、したがって、パーティション１を軽量に製作することができる。
【０１３６】
また、本実施態様によれば、図２に示されるように、複数の第一の骨格部材３１ないし３８の下部がそれぞれ、第一のシート２および第二のシート３の矩形領域５ないし８ならびに２５ないし２８の下辺に沿うように各矩形領域５ないし８ならびに２５ないし２８に取付けられるから、第一のシート２および第二のシート３の下辺を床に当接させることができ、利用者のプライバシーを確保することができる。
【０１３７】
さらに、本実施態様によれば、各第一の骨格部材３１ないし３８の上部が、各矩形領域５ないし８ならびに２５ないし２８の左辺上部または右辺上部に沿い、各第一の骨格部材３１ないし３８の下部が、各矩形領域５ないし８ならびに２５ないし２８の下辺右部または下辺左部に沿うようにしなった状態（湾曲した状態）で、各矩形領域５ないし８ならびに２５ないし２８に取付けられるから、各第一の骨格部材３１ないし３８の反発力を利用して、第一のシート２および第二のシート３の各矩形領域５ないし８ならびに２５ないし２８を、一層ピンと張ることができる。
【０１３８】
また、本実施態様によれば、図２および図９に示されるように、第一のシート２および第二のシート３の各矩形領域５ないし８ならびに２５ないし２８の上縁内部にそれぞれ、上縁と平行の向きで第二の骨格部材５３が設けられているから、各矩形領域上縁の左右方向中央部が下方に垂れてしまう事態を防止することができる。
【０１３９】
さらに、本実施態様によれば、平面視において併せて略矩形に連結された第一のシート２および第二のシート３の上縁に、略矩形に連結された第三の棒状部材５８（上縁骨格部材５７、図３ないし図５参照）を取付けることができるから、軽量な第一のシート２および第二のシート３の上縁が風によって振れたり、変形する事態を効果的に抑制することができる。
【０１４０】
また、実施態様によれば、避難所において、第一のシート２および第二のシート３を設置する前に、予め、複数設置される各パーティション１の上縁骨格部材５７を組み立てて（図１０参照）、避難所の床に並べておくことによって、複数のパーティション１の区分けを行うことができる。
【０１４１】
さらに、本実施態様によれば、平面視において併せて略矩形に連結された第一のシート２および第二のシート３の下縁に、３本の第三の骨格部材５８（下縁骨格部材６６、図４（ｂ）参照）を取付けることができるから、第一のシート２および第二のシート３の下縁が変形してしまう事態を防止することができる。
【０１４２】
本考案は、以上の実施態様に限定されることなく、実用新案登録請求の範囲に記載された考案の範囲内で種々の変更が可能であり、それらも本考案の範囲内に包含されるものであることはいうまでもない。
【０１４３】
例えば、図１ないし図１２に示された前記実施態様においては、第一の骨格部材３１ないし３８がそれぞれ、グラスファイバーによって構成されているが、グラスファイバーによって構成されることは必ずしも必要でなく、軽量で、かつ、図２に示されるように、各矩形領域５ないし８の範囲内で湾曲可能であれば、その材質はとくに限定されない。
【０１４４】
また、図１ないし図１２に示された前記実施態様においては、第一のシート２および第二のシート３が、平面視において併せて略矩形に連結されるように構成されているが、複数のシートを備えていることは必ずしも必要でなく、図８に示されるように、単一の第一のシート２に第一の骨格部材３１ないし３８を取付けし、屏風のように、隣り合う矩形領域同士に角度をつけて自立させ、空間を間仕切り可能に構成してもよい。
【０１４５】
さらに、図１ないし図１２に示された前記実施態様においては、図２に示されるように、すべての第一の骨格部材３１ないし３８が第一のシート２の内側の面に取り付けられているが、一部の、またはすべての第一の骨格部材３１ないし３８を第一のシート２の外側の面（間仕切り空間９に対向しない面）に取付け可能に構成してもよい。
【０１４６】
また、図１ないし図１２に示された前記実施態様においては、図７（ｂ）および図９に示されるように、第一シート２および第二シート３の上下左右の縁はそれぞれ、２つ折りに構成されているが、３つ折りであってもよい。
【０１４７】
さらに、図１ないし図１２に示された前記実施態様においては、第一のシート２および第二のシート３はそれぞれ、略同一の高さおよび幅を有する４つの矩形領域５ないし８ならびに２５ないし２８を有しているが、各シート２および３の矩形領域の数は３つ以下に構成されてもよく、５つ以上に構成されてもよい。また、第一のシート２と第二のシート３の矩形領域の数を同一に構成することは必ずしも必要でなく、矩形領域の数が互いに異なるように構成してもよい。さらに、間仕切り部材として機能し、互いに連結されるシートの数は、３枚以上であってもよい。
【０１４８】
すなわち、第一のシート２および第二のシート３の他に、同様に面ファスナー２１および２２を左右の縁に有するシートを別途設け、３枚以上のシートをそれぞれ、第一の骨格部材３１ないし３８を用いて自立させた状態で、互いに連結可能に構成してもよい。この場合には、上縁骨格部材５７および下縁骨格部材６６の各第三の骨格部材５８の長さを変更することによって、シート上縁および下縁の変形を防止することができる。
【０１４９】
また、図１ないし図１２に示された前記実施態様においては、図１１に示されるように、矩形領域５のみが扉として機能するように構成されているが、矩形領域２５を扉として使用してもよく、矩形領域５および２５の両方を扉として使用してもよい。
【符号の説明】
【０１５０】
１  パーティション
２  第一のシート
３  第二のシート
４  窓部
５  矩形領域
６  矩形領域
７  矩形領域
８  矩形領域
９  間仕切り空間
１０  取付けベルト
１１  上方ベルト
１２  下方ベルト
１３  面ファスナー
１４  面ファスナー
１６  領域境目挿入部
１７  左筒部
１８  右筒部
１９  帯
２１  面ファスナー
２２  面ファスナー
２３  間隙
２４  間隙
２５  領域
２６  領域
２７  領域
２８  領域
２９  帯
３０  帯
３１  第一の骨格部材
３２  第一の骨格部材
３３  第一の骨格部材
３４  第一の骨格部材
３５  第一の骨格部材
３６  第一の骨格部材
３７  第一の骨格部材
３８  第一の骨格部材
３９  下筒部
４０  上筒部
５０  保持部材
５１  連結金具
５２  保持シート
５３  第二の骨格部材
５７  上縁骨格部材
５８  第三の骨格部材
６０  面ファスナー
６１  面ファスナー
６２  面ファスナー
６３  面ファスナー
６４  面ファスナー
６６  下縁骨格部材
６８  境目部分
６９  境目部分
７０  境目部分
７２  ミシン目
７３  ミシン目
７４  ミシン目
７５  ミシン目
７６  ミシン目
７７  ミシン目
７８  ミシン目
７９  ミシン目
８１  左筒部
８２  右筒部
８４  左筒部
８５  右筒部
８７  下筒部
８８  下筒部
９０  ミシン目
９１  ミシン目
９２  ミシン目
９３  ミシン目
９４  ミシン目
１００  折り返し部
１０１  折り返し部
１０２  折り返し部
１０３  折り返し部
１０６  面ファスナー
１０７  面ファスナー
１０９  左端筒部
１１０  右端筒部
【図１】
0003229478.tif 000003
【図２】
0003229478.tif 000004
【図３】
0003229478.tif 000005
【図４】
0003229478.tif 000006
【図５】
0003229478.tif 000007
【図６】
0003229478.tif 000008
【図７】
0003229478.tif 000009
【図８】
0003229478.tif 000010
【図９】
0003229478.tif 000011
【図１０】
0003229478.tif 000012
【図１１】
0003229478.tif 000013
【図１２】
0003229478.tif 000014